(57)【要約】【課題】極めて安価に製造することができ、かつ、極めて軽量な、眼鏡におけるつるの開き角度調整具を提供する。【解決手段】レンズフレーム１の左右各端部７にヒンジ部９を介してつる１３の基端部を、該つるが該レンズフレームに接離する方向に回動自在になるように、連結してなる眼鏡において、該レンズフレームの各端部における該つるの基端部に臨む端面と該つるの基端部における該端面に臨む対向面との間に挟着される伸縮自在の板状体１５に該つると前記ヒンジ部とを挿通させる挿通孔を備えさせてなることを特徴とする眼鏡におけるつるの開き角度調整具。【選択図】図１
0003189045.tif 000002
【実用新案登録請求の範囲】
【請求項１】
レンズフレームの左右各端部にヒンジ部を介してつるの基端部を、該つるが該レンズフレームに接離する方向に回動自在になるように、連結してなる眼鏡において、
該レンズフレームの各端部における該つるの基端部に臨む端面と該つるの基端部における該端面に臨む対向面との間に挟着される伸縮自在の板状体に該つると前記ヒンジ部とを挿通させる挿通孔を備えさせてなることを特徴とする眼鏡におけるつるの開き角度調整具。
【考案の詳細な説明】
【技術分野】
【０００１】
本考案は、眼鏡におけるつるの開き角度調整具に関するものである。
【背景技術】
【０００２】
眼鏡は、一般に、着用者の顔部を含む頭部の形状、大きさ等に応じて、眼鏡店により予めつるの開き角度が調整された状態で販売され、或いは、眼鏡店にて着用者が自己に適したつるの開き角度を備えた眼鏡を選択して購入するものである。
【０００３】
しかるに、眼鏡は、使用するにつれて、つるの開き角度が徐々に大きくなり、やがて所定の位置からずり落ちてしまうことがある。つるの開き角度が大きくなった場合に、つるの開き角度を着用者が自ら調整することは困難である。また、つるの開き角度を着用者が自ら調整する際に、該つるを折曲させるおそれもある。
【０００４】
このような状況に鑑み、実用新案登録第３０５７７０９号公報は、つるの開き角度を調整することができるようにした眼鏡（以下「従来の眼鏡」という。）を開示している。
【先行技術文献】
【特許文献】
【０００５】
【特許文献１】実用新案登録第３０５７７０９号公報
【考案の概要】
【考案が解決しようとする課題】
【０００６】
しかるに、上記従来の眼鏡におけるつるの開き角度を調整する手段は、複雑  な構成を備えているため、眼鏡の製造コストが上昇すると共に眼鏡が重くなるという問題がある。
【０００７】
本考案は、従来の眼鏡におけるこのような問題を解決し、極めて安価に製造することができ、かつ、極めて軽量な、眼鏡におけるつるの開き角度調整具を提供しようとしてなされたものである。
【課題を解決するための手段】
【０００８】
上記課題を解決するために、本考案は、下記の眼鏡におけるつるの開き角度調整具を提供する。
【０００９】
レンズフレームの左右各端部にヒンジ部を介してつるの基端部を、該つるが該レンズフレームに接離する方向に回動自在になるように、連結してなる眼鏡において、
該レンズフレームの各端部における該つるの基端部に臨む端面と該つるの基端部における該端面に臨む対向面との間に挟着される伸縮自在の板状体に該つると前記ヒンジ部とを挿通させる挿通孔を備えさせてなることを特徴とする眼鏡におけるつるの開き角度調整具（請求項１）。  
【考案の効果】
【００１０】
本考案による眼鏡におけるつるの開き角度調整具を眼鏡に取り付ける際には、つるの後端部より該つるを板状体の挿通孔に挿通させて該板状体をレンズフレーム方向に動かし（図１参照）、ヒンジ部を該板状体の挿通孔内に位置させた状態で該板状体を該レンズフレームの各端部における該つるの基端部に臨む端面と該つるの基端部における該端面に臨む対向面との間に挟着させる（図２参照）。該板状体は伸縮自在であるため、眼鏡における当該所定の位置に容易に取り付けることができる。
【００１１】
しかるときは、該レンズフレームの各端部における前記端面と該つるの該対向面との間に板状体が挟着されることにより、該つるはヒンジ部を回動中心としてレンズフレームに接近する方向に若干回動した状態となる（図２参照）。換言すれば、該つるの開き角度が若干小さくなり、着用者の頭部に好ましくフィットする。該つるの開き角度は、板状体の厚さにより、又は板状体を複数枚重ねて使用することにより、種々に調整することができる。
【００１２】
本考案による眼鏡におけるつるの開き角度調整具は、伸縮自在の板状体に挿通孔を備えさせてなるものであるため、極めて安価に製造することができ、かつ、極めて軽量である。また、該つるの開き角度調整具は、ヒンジ部を該板状体の挿通孔内に位置させた状態で該板状体を該レンズフレームの各端部における該つるの基端部に臨む端面と該つるの基端部における該端面に臨む対向面との間に挟着させるようにしているため、極めて小型でよい。したがって、該つるの開き角度調整具は、眼鏡の外観を損ねるおそれがない。更に、該つるの開き角度調整具は、ヒンジ部を該板状体の挿通孔内に挿通させているため、落下、紛失等のおそれがない。  
【図面の簡単な説明】
【００１３】
【図１】図１は、本考案による眼鏡におけるつるの開き角度調整具の一例を眼鏡に取り付けた状態を示す平面図である。
【図２】図２は、同上状態を拡大して示す平面図である。
【図３】図３は、本考案による眼鏡におけるつるの開き角度調整具の一例を示す斜視図である。
【図４】図４は、本考案による眼鏡におけるつるの開き角度調整具の別の一例を示す斜視図である。
【考案を実施するための形態】
【００１４】
図１において符号１に示すものは、眼鏡のレンズフレームである。レンズフレーム１には左右一対のレンズ３、３が取り付けられている。符号５に示すものはレンズフレーム１に取り付けられた左右一対の鼻パッドである。
【００１５】
レンズフレーム１の左右各端部７にヒンジ部９を介してつる１１の基端部１３を、該つる１１が該レンズフレーム１に接離する方向に回動自在になるように、連結する。図示の事例におけるレンズフレーム１の端部７はレンズフレーム１とは別体であるが、本考案におけるレンズフレーム１の端部７はレンズフレーム１と一体のものを含むことはいうまでもない。ヒンジ部９は、連結部９ａを介してレンズフレーム１の端部７に連結され、連結部９ｂを介してつる１１の基端部１３に連結されている。
【００１６】
該レンズフレーム１の各端部７における該つる１１の基端部１３に臨む端面７ａと該つる１１の基端部１３における該端面７ａに臨む対向面１３ａとの間に挟着される伸縮自在の板状体１５に該つる１１と前記ヒンジ部９とを挿通させる挿通孔１７を備えさせる（図２参照）。
【００１７】
板状体１５は、伸縮自在であることを要し、一例としてシリコンゴムにより形成する。板状体１５は例えば略長方形状をなす。板状体１５は、前記端面７ａと前記対向面１３ａ及び該ヒンジ部９に適合する寸法を有するものであって、例えば長さ約７ｍｍ、幅約５ｍｍ、厚さ約０．３〜１ｍｍとする。板状体１５は、好ましくは粘着性を有する透明な材料により形成する。
【００１８】
板状体１５は一端に挿通孔１７を備えている。板状体１５該挿通孔１７は、例えば、略円形（図３参照）、略正方形（図４参照）等の形状をなす。略円形の挿通孔１７は、例えば直径約２〜４ｍｍとし、略正方形の挿通孔は、例えば一辺の長さ約２〜４ｍｍとする。
【符号の説明】
【００１９】
１  レンズフレーム
３  レンズ
５  鼻パッド
７  端部
７ａ  端面
９  ヒンジ部
９ａ  連結部
９ｂ  連結部
１１  つる
１３  基端部
１３ａ  対向面
１５  板状体
１７  挿通孔
【図１】
0003189045.tif 000003
【図２】
0003189045.tif 000004
【図３】
0003189045.tif 000005
【図４】
0003189045.tif 000006